(57)【要約】【課題】多種多様な電圧仕様に対応してスムーズな印加電圧切替を行うことができる装置を提供する。【解決手段】  脈流で動作する第１駆動対象装置及び／または第２駆動対象装置に対するスイッチ制御回路を含む印加電圧切替装置であって、前記印加電圧切替装置は、全波整流器と実効値電圧検出部と中間電圧生成部とスイッチ制御信号生成部と所定のスイッチ群とを備え、前記実効値電圧検出部は、供給される脈流電圧の実効値が高いか低いかを検出してその結果を前記スイッチ制御信号生成部に送付し、前記スイッチ制御信号生成部は、前記送付内容に基づいて前記所定のスイッチ群の開閉制御を行って中間電圧生成部により生成した中間電圧を第１駆動対象装置と第２駆動対象装置との接続点に適宜供給することを特徴とする。【選択図】図１
2019016562.tif 000002
【特許請求の範囲】
【請求項１】
脈流で動作する第１駆動対象装置及び／または第２駆動対象装置に対するスイッチ制御回路を含む印加電圧切替装置であって、
前記印加電圧切替装置は、全波整流器と実効値電圧検出部と中間電圧生成部とスイッチ制御信号生成部と所定のスイッチ群と
を備え、
前記実効値電圧検出部は、供給される脈流電圧の実効値が高いか低いかを検出してその結果を前記スイッチ制御信号生成部に送付し、
前記スイッチ制御信号生成部は、前記送付内容に基づいて前記所定のスイッチ群の開閉制御を行うことにより、
（Ａ）前記実効値電圧検出部が高い実効値電圧を検出した場合には、前記第１駆動対象装置及び前記第２駆動対象装置を直列接続構成にしたうえで、前記中間電圧生成部により生成した前記脈流電圧の分圧を前記所定のスイッチ群のうちの特定のスイッチを介して前記第１駆動対象装置と前記第２駆動対象装置との接続点に供給するように制御し、
（Ｂ）前記実効値電圧検出部が低い実効値電圧を検出した場合には、前記特定のスイッチを開くとともに前記第１駆動対象装置及び前記第２駆動対象装置を並列接続構成にする
ようにスイッチ切り替え制御を行うことを特徴とする印加電圧切替装置。
【請求項２】
前記分圧は、前記脈流電圧値に対して略２分の１の値であることを特徴とする請求項１に記載の装置。
【請求項３】
前記中間電圧生成部は、オペアンプと、複数の分圧抵抗とを含む請求項１または２に記載の装置。
【請求項４】
前記中間電圧生成部は、ＮＰＮトランジスタ及びＰＮＰトランジスタと、複数の分圧抵抗とを含む請求項１または２に記載の装置。
【請求項５】
前記複数の分圧抵抗は、３以上である請求項３または４に記載の装置。
【請求項６】
請求項１〜５のいずれか１項に記載された印加電圧切替装置を備えた照明装置。
【発明の詳細な説明】
【技術分野】
【０００１】
本発明は、交流入力を用いて装置を適切に駆動するための印加電圧切替装置に関し、より詳細には、交流入力を用いてＬＥＤ照明装置等の駆動対象装置を適切に駆動するための印加電圧切替装置及び該印加電圧切替装置を備えた照明装置に関する。
【背景技術】
【０００２】
我が国における供給電圧は、いわゆるＡＣ１００Ｖと称される電圧が多くを占めるが、例えば、蛍光灯等の照明装置に対する供給電圧を例にとっても、常に１００Ｖであるとは限らず、工場などでは２００Ｖの電圧供給がなされる場合もある。かかる場合において、１００Ｖ用照明装置に対し２００Ｖの電圧供給を行う（つまり、２００Ｖの電圧供給施設において１００Ｖ用照明装置を使用しようとする）と、良くて照明装置の破損、悪くすると発煙・発火に至る障害が生ずることがあり得る。したがって、かかる状況においては、ＡＣ１００Ｖ・ＡＣ２００Ｖ両方に対応可能なスイッチングレギュレータを使用した照明機器を使用するか、あるいは事前に調査してＡＣ２００Ｖに対応する照明機器を用意する等を行う必要があるが実務上は中々難しいのが現実であった。
【０００３】
また、水銀灯やメタルハライドランプといった放電ランプの照明システムの光源をＬＥＤに置き換える場合に、例えば、放電ランプ及び安定器をそれぞれＬＥＤランプ（ＬＥＤが搭載された光源部）及びＬＥＤ点灯装置に置き換える構成を採用しようとすると、光源部と点灯装置との誤った組み合わせが起こり、ＬＥＤランプや安定器が過電圧または過電流によって損傷してしまう場合がある。こうした組み合わせ事故を防止するために、ＬＥＤランプとＬＥＤ点灯装置との正しい組み合わせを認識する機能を有するＬＥＤランプ、ＬＥＤ点灯装置、及びこれらを用いたＬＥＤ照明システムが提案されている（特許文献１）。
【０００４】
すなわち、特許文献１には、ＬＥＤランプとこれに給電するＬＥＤ点灯装置とを備え、前記ＬＥＤランプは、ＬＥＤ負荷と第１分流手段とを備え、該第１分流手段は、前記ＬＥＤ負荷の定格電圧より低い電圧（以下、認識電圧）が前記ＬＥＤランプに印加されたときに、前記第１分流手段に電流（以下、認識電流）が流れるように構成され、前記ＬＥＤ点灯装置は、外部から入力される電源電圧を変換して出力する電力変換回路と、該電力変換回路の出力を制御する制御回路と、前記電力変換回路の出力を検出する第１検出手段とを備え、前記制御回路は、起動後に前記電力変換回路より前記認識電圧を出力し、前記第１検出手段にて前記認識電流が流れたことを検出した後、前記電力変換回路より前記ＬＥＤランプに定格電流を出力することを特徴とするＬＥＤ照明システムが開示されている。
【先行技術文献】
【特許文献】
【０００５】
【特許文献１】特開２０１５−２２５８２５号公報
【発明の概要】
【発明が解決しようとする課題】
【０００６】
しかしながら、従来の手法によってこれらに対処しようとすると、特に交流を全波整流してこれをそのままＬＥＤを駆動する照明機器に於いては、各電圧に応じて製品を都度開発する必要が有り、開発コスト上の大きな問題ともなっていた。
また、特許文献１に記載の装置やシステムでは、ＬＥＤランプに入力される電圧が所定の基準電圧よりも高いことを検出した場合には、主として所定のスイッチをオフにすることによって過電流による故障を防止するものであって、スムーズな電圧変換処理が行われているとは言えない。
【０００７】
上記課題に鑑み、本発明は、少ない部品構成により多種多様な電圧仕様に対応してスムーズな電圧変換ないし印加電圧切替を行うことができる印加電圧切替装置等を提供することを目的とする。
【課題を解決するための手段】
【０００８】
本発明の一実施形態は、脈流で動作する第１駆動対象装置及び／または第２駆動対象装置に対するスイッチ制御回路を含む印加電圧切替装置であって、前記印加電圧切替装置は、全波整流器と実効値電圧検出部と中間電圧生成部とスイッチ制御信号生成部と所定のスイッチ群とを備え、前記実効値電圧検出部は、供給される脈流電圧の実効値が高いか低いかを検出してその結果を前記スイッチ制御信号生成部に送付し、前記スイッチ制御信号生成部は、前記送付内容に基づいて前記所定のスイッチ群の開閉制御を行うことにより、
（Ａ）前記実効値電圧検出部が高い実効値電圧を検出した場合には、前記第１駆動対象装置及び前記第２駆動対象装置を直列接続構成にしたうえで、前記中間電圧生成部により生成した前記脈流電圧の分圧を前記所定のスイッチ群のうちの特定のスイッチを介して前記第１駆動対象装置と前記第２駆動対象装置との接続点に供給するように制御し、
（Ｂ）前記実効値電圧検出部が低い実効値電圧を検出した場合には、前記特定のスイッチを開くとともに前記第１駆動対象装置及び前記第２駆動対象装置を並列接続構成にする
ようにスイッチ切り替え制御を行うことを特徴とする。
【発明の効果】
【０００９】
本発明の一実施形態にかかる印加電圧切替装置等によれば、少ない部品構成により多種多様な電圧仕様に対応してスムーズな電圧変換ないし印加電圧切替を行うことができ、さらには、過電流、過電圧等による故障等を防止することができる。
【図面の簡単な説明】
【００１０】
【図１】本発明の一実施形態にかかる印加電圧切替装置ないし該印加電圧切替装置を備えた照明装置の回路構成例を説明する説明図である。
【図２】本発明の一実施形態にかかる印加電圧切替装置の動作原理のバリエーションを説明する説明図である。
【図３】本発明の一実施形態にかかる印加電圧切替装置の更に詳細な回路構成例を説明する説明図である。
【図４】本発明の他の実施形態にかかる印加電圧切替装置の動作原理を説明する説明図である。
【図５】本発明の一実施形態の印加電圧切替装置における動作電圧の波形の様子を説明する説明図である。
【発明を実施するための形態】
【００１１】
本発明にかかる印加電圧切替装置等を実施するための各実施形態について、図面を参照しながら詳述する。
【００１２】
（本発明の基本概念）
まず、本発明の実施形態としては、脈流で動作する装置１及び装置２に対する制御回路として実現される。装置１及び装置２は本発明によって制限されるものではないが、例示的に、各装置１〜２は、定格１００Ｖで動作する数段〜数十段のＬＥＤ列などを挙げることができる。また、本発明は、上述した制御動作を実現するために、実効値電圧検出部とスイッチ制御信号生成部と中間電圧生成部と所定のスイッチ群とを備え、実効値電圧検出部は、供給元電源の電圧が高電圧（一例として、ＡＣ２００Ｖ）か低電圧（一例として、ＡＣ１００Ｖ）かを検知し、その結果を出力しスイッチ制御信号生成部へ送付する。そして、スイッチ制御信号生成部では、高電圧検出時には、生成された制御信号に基づき所定のスイッチ（群）を閉じ、他のスイッチ（群）を開いて装置１及び装置２を直列接続構成にしたうえで特定のスイッチを介して脈流の２分の１の電圧（中間電圧生成部により生成）を装置１と装置２との接続点に供給するように制御される。このとき、各装置は、脈流の２分の１の電圧で作動する（ここで、「２分の１」という値は厳密なものではなく回路構成上生じる誤差を含む。その意味で「略２分の１」と同義である。以下、数値や割合について同様）。なお、装置間のアンバランス分は中間電圧生成部で吸収する。
他方、低電圧検出時には、スイッチ制御信号生成部により生成された制御信号に基づき、上記所定のスイッチ（群）を開き、上記他のスイッチ（群）を閉じることにより装置１及び装置２を並列接続構成にし、各装置を低電圧で作動させる。
なお、上記所定のスイッチ及び他のスイッチの開閉は、スイッチ制御信号生成部において生成された制御信号に基づき、電源の短絡等が生じないようにスイッチの開閉タイミングが制御される。
【００１３】
また、本発明は、電圧の検出及び切り替えに関し、上述のように高低２段階の切り替えに限定されるということはなく、１００Ｖ／２００Ｖ／３００Ｖ／４００Ｖといった多段階での切り替えも可能である。さらに、切り替え電圧の割合それ自体も、必ずしも２分の１とか４分の１といった特定の割合に限定されるものではなく、任意の割合で切り替えることができる。
【００１４】
次に、図１〜図４を参照しながら第１実施形態〜第４実施形態について詳説する。
【００１５】
［第１実施形態］
図１に、本発明の第１実施形態にかかる印加電圧切替装置ないし該印加電圧切替装置を備えた照明装置の回路構成例を示す。
【００１６】
図１に示すように、印加電圧切替装置ないし該印加電圧切替装置を備えた照明装置１００は、ＡＣ入力を整流するための全波整流器ＦＲ１と、全波整流器ＦＲ１によって整流された脈流の実効値電圧を検出する実効値電圧検出部１１０と、電圧検出部１１０で検出された電圧によってスイッチを制御するための信号を生成するスイッチ制御信号生成部１２０と、中間電圧を生成するための中間電圧生成部１３０と、制御スイッチＳｗ１〜Ｓｗ４と、駆動対象となる装置１５１及び１５２とを備える。
【００１７】
ここで、装置１００が「印加電圧切替装置を備えた照明装置」であるという場合には、駆動対象装置１５１及び１５２が各々数十段のＬＥＤ列で構成されているような場合が該当する。あるいは、装置１００が「印加電圧切替装置」であるという場合には、図１に示された装置１００のうち、駆動対象装置１５１及び１５２を取り外した回路構成をいう。この場合、駆動対象装置１５１及び１５２は、一例として、図示しないソケット接続等により装置１００に対して着脱可能に構成される。
【００１８】
図１に示されるように、中間電圧生成部１３０と、駆動対象装置１５１及び１５２と、各スイッチＳｗ１〜Ｓｗ４との接続関係は次のとおり説明される。
（１）同図中の入力側起点Ｐから見た場合の入力側は、その一方が駆動対象装置１５１の入力側に接続され、駆動対象装置１５１の出力側は、スイッチＳｗ１を介して駆動対象装置１５２の入力側に接続される。
（２）上記（１）の入力側起点Ｐから見た場合の入力側の他方は、スイッチＳｗ４を介してスイッチＳｗ１と駆動対象装置１５２の入力側との間に接続される。
（３）中間電圧生成部１３０の出力側は、スイッチＳｗ２を介して、その一方が駆動対象装置１５１とスイッチＳｗ１との間に接続され、他方がスイッチＳｗ３を介して出力端終点Ｑに接続される。
（４）上記（１）〜（３）の結果、スイッチＳｗ１は、スイッチＳｗ２を介して駆動対象装置１５１の出力側とスイッチＳｗ１との間に接続された中間電圧生成部の出力側と、スイッチＳｗ４を介してスイッチＳｗ１と駆動対象装置１５２の入力側との間に接続された入力側起点Ｐから見た場合の入力の一方との接続のオン／オフ切り替え制御を行う。
【００１９】
（各スイッチ切り替え制御フロー）
また、上記スイッチの開閉は、電源の短絡等が生じないようにスイッチとしての開閉タイミングが制御される必要がある。かかるスイッチ制御は、スイッチ制御信号生成部１２０によって生成された信号に基づいて制御される。
図１に示した回路例を前提として、供給される高電圧値として２００Ｖ、低電圧値として１００Ｖとした場合の切り替え制御例を下表に示す。下表において、横の列は図１におけるスイッチＳｗ１〜Ｓｗ４ごとの時系列のオン／オフ制御例が例示されている（但し、下表中の「直後Ａ」及び「直後Ｂ」のタイミングにおけるＳｗ１〜４の制御は同時ではなく、それぞれの中で微妙な遅延制御がなされる。詳細については後述する）。
【００２０】
下表の時系列ごとの制御手順は次のとおりである。まず、印加電圧切替装置は定格２００Ｖの高電圧が供給されるものとして設定されている状態で稼働を開始し（下表中「電源ＯＮ時」→「高電圧時」）高電圧（ＡＣ２００Ｖ）検出時はそのまま動作を継続する。
【００２１】
【表１】
2019016562.tif 000003
【００２２】
上表において、動作開始後に供給電圧として低電圧（ＡＣ１００Ｖ）を検出した場合、Ｓｗ制御信号生成部１２０はＳｗ１〜４に対して次のような制御を行う。
【００２３】
先ずＳｗ２を開いてＯＦＦとし（下表中「低電圧検出時」）、Ｓｗ２の動作が完了、あるいは動作するに十分な時間が経過した後にＳｗ１を開いてＯＦＦとし、Ｓｗ３を閉じてＯＮとする（下表中「低電圧検出その後」）。これらのＳｗの動作が完了するか動作するに十分な時間が経過した後に、Ｓｗ４を閉じてＯＮとすれば（下表中「低電圧検出更にその後」）、Ｓｗの動作が完了した後には駆動対象装置１５１と１５２は脈流に対して並列動作となり各々が低電圧（ＡＣ１００Ｖ）動作となる様に設定される。
【００２４】
尚、通常の動作ではありえないがその後、再び定格２００Ｖの高電圧を検出した場合はＳｗ信号生成部１２０は先に述べた逆の動作を行う。すなわちＳｗ４を開き（ＯＦＦ）その後Ｓｗ３を開く（ＯＦＦ）。その後Ｓｗ１とＳｗ２を閉じる（ＯＮ）。尚、ここでは説明は省いて説明してあるが、各動作はＳｗの動作が完了した後、あるいはＳｗが動作するに十分な時間が経過した後に行うのは言うまでもない。
【００２５】
このような遅延制御を行うことで、電源の短絡が生じないように安全に印加電圧切替装置を稼働させることができる。これらの遅延制御もスイッチ制御信号生成部１２０によって生成された信号に基づいて行われる。
【００２６】
尚、推奨はしない（駆動対象装置１５１と１５２は共に定格ＡＣ２００Ｖの高電圧で短時間なら動作可能等の条件を満たす必要があるが、逆の場合これ等の条件は不要である）が、上記とは逆に、はじめ印加電圧切替装置は定格１００Ｖの低電圧が供給されるものとして設定されている状況で動作を開始し（「電源ＯＮ時」→「低電圧時」）、その後、供給電圧として定格２００Ｖの高電圧を検出した場合にＳｗ１〜４を操作する事も可能である。
以下にＳｗ制御信号生成部１２０のＳｗ１〜４に対する制御詳細を説明する。
【００２７】
先ずＳｗ４を開いてＯＦＦとし（下表中「高電圧検出時」）、Ｓｗ４が動作を完了した後、あるいはＳｗ４が動作を完了するに十分な時間が経過した後にＳｗ３を開いてＯＦＦとする（下表中「高電圧検出その後」）。Ｓｗ３が動作を完了した後、あるいは動作するに十分な時間が経過後にＳｗ１を閉じてＯＮとし、その後Ｓｗ１が動作を完了後、あるいは動作を完了するに十分な時間が経過した後にＳｗ２を閉じてＯＮとする（下表中「高電圧検出更にその後」）下表中「低電圧検出更にその後」）。Ｓｗ１の動作完了後、あるいは動作完了するに十分な時間が経過後は、駆動対象装置１５１と１５２は脈流に対して直列動作となり高電圧での動作の準備が完了する。
【００２８】
【表２】
2019016562.tif 000004
【００２９】
なお、図１には図示されていないが、実効値電圧検出部１１０、スイッチ制御信号生成部１２０、各制御スイッチＳｗ１〜Ｓｗ４間の接続は既知の配線を適宜採用した切替制御回路として構成することもできる。
【００３０】
［第２実施形態］
図２は、本発明の一実施形態にかかる印加電圧切替装置における中間電圧生成部１３０の動作原理のバリエーションを説明する回路構成例である。図２（Ａ）及び（Ｂ）に示された回路図は、中間電圧生成部１３０の機能の中枢を解り易く説明するものであり、これらの回路が中間電圧生成部１３０の一部又は全部となって適宜組み込まれる。以下、中間電圧生成部１３０の中枢機能の原理動作を説明する（以下、図３〜図４においても同趣旨である）。
【００３１】
図２（Ａ）は、オペアンプＯＰ２１と分圧抵抗Ｒ２１及びＲ２２とによって構成される原理動作回路２００である。０Ｖ（起点）からみた場合の入力側Ｖｉｎは、一方が抵抗Ｒ２１を介してオペアンプＯＰ２１の非反転入力端子（＋）に接続され、他方は抵抗Ｒ２２を介して接地される。また、オペアンプＯＰ２１の出力端子からはＶｏｕｔが取り出される一方で、分岐されてオペアンプＯＰ２１の反転入力端子（−）にも接続される。
【００３２】
上記構成により、原理動作回路２００の出力Ｖｏｕｔは、
2019016562.tif 000005
となる。
Ｒ２１とＲ２２の値は任に設定することができ、Ｒ２１＝Ｒ２２の場合、ＶｏｕｔはＶｉｎの２分の１の値となる。
【００３３】
図２（Ｂ）は、ＮＰＮトランジスタＮＰＮ１と、ＰＮＰトランジスタＰＮＰ１と、抵抗Ｒ２３及びＲ２４とによって構成される原理動作回路２５０である。０Ｖ（起点）からみた場合の入力側Ｖｉｎは、一方が抵抗Ｒ２３、Ｒ２４を介して接地され、他方はＮＰＮ１のコレクタ側に接続される。
ＮＰＮ１のエミッタ側はＰＮＰ１のエミッタ側に接続され、ＮＰＮ１のベースとＰＮＰ１のベースとが接続されるとともに、抵抗Ｒ２３とＲ２４との中点はＮＰＮ１及びＰＮＰのベース間に接続される。
出力端子は、ＮＰＮ１及びＰＮＰ１のエミッタ間からＶｏｕｔとして取り出される。
【００３４】
上記構成により、原理動作回路２５０の出力Ｖｏｕｔは、
2019016562.tif 000006
となる。
Ｒ２３とＲ２４の値は任に設定することができ、Ｒ２３＝Ｒ２４の場合、ＶｏｕｔはＶｉｎの２分の１の値となる。
【００３５】
なお、原理動作回路２５０におけるＮＰＮ１及びＰＮＰ１のベース間２５１は、いわゆるカットオフを防止するために一定のバイアスをかけておく必要があり、その詳細構成例について図３を参照して説明する。
【００３６】
［第３実施形態］
図３は、本発明の一実施形態にかかる印加電圧切替装置における中間電圧生成部１３０の更に詳細な回路構成例である。図３におけるトランジスタＮＰＮ２、ＰＮＰ２、抵抗Ｒ３１、Ｒ３２は、図２におけるＮＰＮ１、ＰＮＰ１、分圧抵抗２３、Ｒ２４にそれぞれ対応するので個々の説明は割愛し、相違点について以下に説明する。
【００３７】
図３に示される回路の特徴は、分圧抵抗Ｒ３１とＲ３２との間であって、さらにその内側の接続点となるＮＰＮ２及びＰＮＰ２のベース間にバイアス抵抗Ｒ３３１及びＲ３３２が設けられていることである。つまり、ＮＰＮ２及びＰＮＰ２のベース間のバイアスを確保するために、一実施形態として、Ｒ３３１及びＲ２３２には各々０．６Ｖ程度の電位が発生するように抵抗値が定められる。
【００３８】
［第４実施形態］
図４は、本発明の他の実施形態にかかる印加電圧切替装置における中間電圧生成部の動作原理を説明する回路構成例である。図４に示される回路構成は、原理的には、図２（Ａ）に示される構成を多段構成にすることにより、３種類以上の電圧を取り出すことができる。説明の便宜のために、図４では３段構成とした場合について説明するが本発明はこれに限定されるものではなく、２段構成から３段構成への拡張と同様の拡張により、４段以上の構成についても容易に構成可能であることは言うまでもない。
【００３９】
図４に示される原理動作回路は、オペアンプＯＰ３１〜ＯＰ３３と分圧抵抗Ｒ３１〜Ｒ３４とによって構成される。０Ｖ（起点）からみた場合の入力側Ｖｉｎは、一方が抵抗Ｒ３１を介してオペアンプＯＰ３１の非反転入力端子（＋）に接続され、他方は抵抗Ｒ３２〜Ｒ３４を介して接地される。
また、オペアンプＯＰ３２の非反転入力端子（＋）には、Ｖｉｎから抵抗Ｒ３１及びＲ３２を介して接続され、オペアンプＯＰ３３の非反転入力端子（＋）には、Ｖｉｎから抵抗Ｒ３１、Ｒ３２、及びＲ３３を介して接続される。
【００４０】
そして、オペアンプＯＰ３１の出力端子からはＶ１ｏｕｔが取り出される一方で、分岐されてオペアンプＯＰ３１の反転入力端子（−）にも接続される。同様に、オペアンプＯＰ３２の出力端子からはＶ２ｏｕｔが取り出される一方で、分岐されてオペアンプＯＰ３１の反転入力端子（−）にも接続される。オペアンプＯＰ３３の出力端子からはＶ３ｏｕｔが取り出される一方で、分岐されてオペアンプＯＰ３３の反転入力端子（−）にも接続される。
【００４１】
上記構成により、図４に示された原理動作回路の出力Ｖ１ｏｕｔ、Ｖ２ｏｕｔ、Ｖ３ｏｕｔは、それぞれ
2019016562.tif 000007
となる。
Ｒ３１〜Ｒ３４の値は任に設定することができ、Ｒ３１＝Ｒ３２＝Ｒ３３＝Ｒ３４の場合、Ｖ１ｏｕｔはＶｉｎの４分の３の値となり、Ｖ２ｏｕｔはＶｉｎの４分の２の値となり、Ｖ３ｏｕｔはＶｉｎの４分の１の値となる。
【００４２】
図５に、本発明の一実施形態の印加電圧切替装置における動作電圧の波形の様子を示す。図５（Ａ）には、図１〜図３を参照して説明した印加電圧切替装置において中間電圧を生成させた場合の脈流波形と中間電圧波形との関係が示されている。分圧抵抗をそれぞれ等しくすれば、中間電圧波形としては脈流電圧の２分の１となる波形が得られる。
【００４３】
図５（Ｂ）には、図４を参照して説明した印加電圧切替装置において各中間電圧を生成させた場合の脈流波形と各中間電圧波形との関係が示されている。分圧抵抗をそれぞれ等しくすれば、各中間電圧波形としては脈流電圧の４分の１、４分の２、４分の３となる波形が得られる。
【００４４】
以上、具体例に基づき、本発明の一実施形態にかかる印加電圧切替装置ないし駆動対象装置が組み込まれた（接続された）印加電圧切替装置について説明したが、かかる駆動対象装置と印加電圧切替装置とを別体に構成できること、つまり、図示しないソケット等を介して駆動対象装置は印加電圧切替装置からは着脱自在となるように印加電圧切替装置それ自体を構成できることは、当業者であれば容易に理解できるであろう。
【００４５】
本明細書（特許請求の範囲、要約、及び図面を含む）に記載された構成要件の全て及び／又は開示された全ての方法又は処理の全てのステップについては、これらの特徴が相互に排他的である組合せを除き、任意の組合せで組み合わせることができる。
【００４６】
また、本明細書（特許請求の範囲、要約、及び図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【００４７】
さらに、本発明は、上述した実施形態のいずれの具体的構成にも制限されるものではない。本発明は、本明細書（特許請求の範囲、要約、及び図面を含む）に記載された全ての新規な特徴又はそれらの組合せ、あるいは記載された全ての新規な方法又は処理のステップ、又はそれらの組合せに拡張することができる。
【符号の説明】
【００４８】
１００  電圧切替装置（図１中、駆動対象装置１５１及び１５２は接続済）
１１０  実効値電圧検出部
１２０  スイッチ制御信号生成部
１３０  中間電圧生成部
１５１、１５２  駆動対象装置（一例として、ＬＥＤ列など）
【図１】
2019016562.tif 000008
【図２】
2019016562.tif 000009
【図３】
2019016562.tif 000010
【図４】
2019016562.tif 000011
【図５】
2019016562.tif 000012